(57)【要約】  例えば、第一周波数選択表面を有する伝送線路。
2020004409.tif 000002
【特許請求の範囲】
【請求項１】
第一周波数選択表面を有する
伝送線路。
【請求項２】
前記第一周波数選択表面が、導線の外周を覆っている
請求項1に記載の伝送線路。
【請求項３】
前記第一周波数選択表面がグランド導体に設けられている請求項1に記載の伝送線路。
【請求項４】
第二周波数選択表面が芯線に設けられている
請求項3に記載の伝送線路。
【請求項５】
マルチアンテナにおける、第一アンテナ素子への給電線である請求項1から4のいずれかに記載の伝送線路。
【請求項６】
前記マルチアンテナは、
第一周波数の電磁波と、第二周波数の電磁波と、に対応し、
前記伝送線路は、
前記第一周波数の電磁波を透過させ、
前記第二周波数の電磁波を前記第一アンテナ素子へ給電する請求項5に記載の伝送線路。
【請求項７】
マルチアンテナにおける、第一アンテナ素子への給電線であり、
前記マルチアンテナは、
第一周波数の電磁波と、第二周波数の電磁波と、に対応し、
前記伝送線路は、
前記第一周波数の電磁波を透過させ、
前記第二周波数の電磁波を前記第一アンテナ素子へ給電し、
前記第二周波数の電磁波を透過させる
請求項1から3のいずれかに記載の伝送線路。
【請求項８】
請求項1から7のいずれかに記載の伝送線路と、
反射板と、
を備える
アンテナ。
【発明の詳細な説明】
【技術分野】
【０００１】
本発明は、伝送線路及びアンテナに関する。
【背景技術】
【０００２】
アンテナへの給電等に、伝送線路を用いることが知られている。
例えば、特許文献１に、無線通信装置のマルチバンドアンテナの給電に、伝送線路を用いることが開示されている。
【先行技術文献】
【特許文献】
【０００３】
【特許文献１】国際公開第2014/059946号
【発明の概要】
【発明が解決しようとする課題】
【０００４】
特許文献1における態様では、例えば、電磁波の通る空間に伝送線路を設けているため、電磁波の特性に影響を与えることがある。【０００５】
本開示のある態様の目的は、上述したいずれかの課題を解決する伝送線路及びアンテナを提供することにある。
【課題を解決するための手段】
【０００６】
本開示のある態様に係る伝送線路は、周波数選択表面を有する。
【発明の効果】
【０００７】
本開示におけるある態様によれば、例えば、電磁波の通る空間に伝送線路を設けても、電磁波の特性に影響を与えにくい。
【図面の簡単な説明】
【０００８】
【図１】本開示のある態様に係る伝送線路の例の斜視図
【図２】本開示のある態様に係る伝送線路の例の斜視図
【図３】図2のIII部の等価回路の例
【図４】本開示のある態様に係る伝送線路の例の斜視図
【図５】図4のV部の拡大図
【図６】図4のV部の等価回路の例
【図７】本開示のある態様に係る伝送線路の例の斜視図
【図８】本開示のある態様に係る伝送線路の例の斜視図
【図９】本開示のある態様に係る伝送線路の例の斜視図
【図１０】本開示のある態様に係る伝送線路の例の斜視図
【図１１】本開示のある態様に係る伝送線路の例の斜視図
【図１２】本開示のある態様に係る伝送線路の例の斜視図
【図１３】本開示のある態様に係る伝送線路の例の斜視図
【図１４】本開示のある態様に係る伝送線路の例の斜視図
【図１５】本開示のある態様に係る伝送線路の例の斜視図
【図１６】本開示のある態様に係る伝送線路の例の斜視図
【図１７】本開示のある態様に係る伝送線路の例の斜視図
【図１８】本開示のある態様に係る伝送線路の例の斜視図
【図１９】本開示のある態様に係る伝送線路の例の斜視図
【図２０】本開示のある態様に係る伝送線路の例の斜視図
【図２１】本開示のある態様に係る第二アンテナ素子の放射パターンの例
【図２２】本開示のある態様に係る伝送線路の例の斜視図
【図２３】本開示のある態様に係る伝送線路の例の斜視図
【図２４】本開示のある態様に係る伝送線路の等価回路の例
【図２５】本開示のある態様に係る伝送線路の例の斜視図
【図２６】本開示のある態様に係る伝送線路の例の斜視図
【発明を実施するための形態】
【０００９】
本開示におけるすべての態様は、例示に過ぎず、その他の例の本開示からの排除を意図するものでも、特許請求の範囲に記載された発明の技術的範囲の限定を意図するものでもない。
【００１０】
本開示における各態様同士の組み合わせに係る記載を、一部省略する場合があるかもしれない。
その省略は、説明の簡略化を意図するものであり、本開示からの排除を意図するものでも、特許請求の範囲に記載された発明の技術的範囲の限定を意図するものでもない。
その省略の有無に関わらず、本開示における各態様同士のすべての組み合わせは、本開示に、明示的、暗示的、または内在的に、含まれる。
すなわち、その省略の有無に関わらず、本開示における各態様同士のすべての組み合わせは、本開示から、直接的かつ明確に、導くことができる。
【００１１】
例えば、本開示のある態様に係る伝送線路は、第一周波数選択表面を有してもよい。
【００１２】
図1は、本開示のある態様に係る伝送線路の例の斜視図である。
図2は、本開示のある態様に係る伝送線路の例の斜視図である。
図3は、図2のIII部の等価回路の例である。
【００１３】
例えば、本開示のある態様に係る伝送線路は、第一伝送線路11であってもよい。
例えば、第一伝送線路11は、Y軸方向に延びていてもよい。
例えば、第一伝送線路11の延びる方向をY軸方向と呼ぶことにする。
例えば、第一伝送線路11のある径方向をX軸方向と呼ぶことにする。
例えば、X軸方向と直交し、Y軸方向と直交する方向をZ軸方向と呼ぶことにする。
【００１４】
例えば、第一伝送線路11は、第一周波数選択表面111を有してもよい。
例えば、第一周波数選択表面111は、FSS（Frequency Selective Surface：周波数選択表面）であってもよい。
例えば、FSSは導体、導体および誘電体、またはそれらの周期構造を有する。
例えば、FSSは、特定の周波数帯の電磁波を選択的に透過させる機能を有してもよい。
例えば、第一周波数選択表面111は、第一伝送線路11がある周波数の電磁波を透過させるように構成されてもよい。
【００１５】
例えば、第一伝送線路11は、導線112を備えてもよい。
例えば、導線112は、Y軸方向に延びていてもよい。
【００１６】
例えば、導線112は、グランド導体1122と、芯線1123とを備えてもよい。
例えば、グランド導体1122は、Y軸方向に延びていてもよい。
例えば、芯線1123は、Y軸方向に延びていてもよい。
例えば、グランド導体1122は、Y軸方向周り全周について、芯線1123の外周を覆っていてもよい。
例えば、Y軸方向に延びるグランド導体1122の中心軸と、Y軸方向に延びる芯線1123の中心軸とは、同軸であってもよい。
例えば、グランド導体1122の内周と、芯線1123の外周とは、空間、誘電体等により電気的に絶縁されていてもよい。
例えば、グランド導体1122の内周と、芯線1123の外周と、の間の全体又は少なくとも一部には、Y軸方向に延びるように誘電体が充填されていてもよい。
例えば、第一伝送線路11は、グランド導体1122を外部導体とし、芯線1123を内部導体とする同軸ケーブルであってもよい。
【００１７】
例えば、第一周波数選択表面111は、立体パターン1111を含んでいてもよい。
例えば、第一周波数選択表面111は、グランド導体1122の表面と立体パターン1111との組み合わせによって、ある周波数の電磁波を透過させてもよい。
例えば、入射した電磁波の周波数と第一周波数選択表面111の共振周波数とが一致する場合、または近い周波数である場合は、再放射が生じる。このため、電磁波は、第一周波数選択表面111に入射すると、第一周波数選択表面111の反対側に透過する。
例えば、グランド導体1122と立体パターン1111とは、図3に示すようなキャパシタンス成分Cとインダクタンス成分Lと、を有する等価回路となるように、互いに組み合わせられてもよい。このように、グランド導体1122と立体パターン1111とは、インダクタンス成分Lとキャパシタンス成分Cからなる直列回路として等価的に扱うことができる。
【００１８】
例えば、立体パターン1111は、間隙を有するように近接させた2枚の板金の組み合わせであってもよい。
例えば、立体パターン1111は、L字形状の2枚の板金の組み合わせであってもよい。
【００１９】
図4は、本開示のある態様に係る伝送線路の例の斜視図である。
図5は、図4のV部の拡大図である。
図6は、図4のV部の等価回路の例である。
【００２０】
例えば、第一周波数選択表面111は、主に金属パターンの繰り返し構造からなる表面であって、ある周波数の電磁波を透過させる表面構造であってもよい。
例えば、第一周波数選択表面111は、シートであってもよい。
例えば、第一周波数選択表面111は、繰り返し構造からなる格子パターン1112を含んでいてもよい。
例えば、第一周波数選択表面111は、格子パターン1112によって、ある周波数の電磁波を透過させてもよい。
例えば、グランド導体1122の外周表面が、格子パターン1112であってもよい。
例えば、格子パターン1112は、図4及び図5に示すように、Y軸方向に延びる複数の導体パターンと、Y軸方向周りに延びる複数の導体パターンと、が互いに交わる導体パターンの組み合わせであってもよい。
例えば、第一周波数選択表面111は、グランド導体1122と、グランド導体1122内に備えられた空隙部とで構成される単位セルを周期的に配列して網目状構造に構成されてもよい。
例えば、図5に示す網点で示す部分は、格子パターン1112を示す。
例えば、空隙部は長方形、円形、三角形等、他の形状でもよい。
例えば、グランド導体1122と空隙部とは、共振構造を構成してもよい。
例えば、第一周波数選択表面111は、空隙部の大きさ、または、単位セルの大きさを変更することによって、共振構造の特性を調整してもよい。共振構造の特性を調整することで、第一周波数選択表面111は透過させる電磁波の周波数帯を変更してもよい。
例えば、格子パターン1112では、図6に示すようなキャパシタンス成分Cとインダクタンス成分Lと、を有する等価回路となるように、Y軸方向に延びる複数の導体パターンと、Y軸方向の周り方向に延びる複数の導体パターンと、が互いに組み合わせられてもよい。
例えば、Y軸方向に延びる複数の導体パターンと、外周においてY軸方向と直行する方向に延びる複数の導体パターンとが組み合わせられてもよい。
【００２１】
例えば、図4に示す第一伝送線路11のように、第一周波数選択表面111が格子パターン1112である場合、第二周波数選択表面114が芯線1123に設けられていてもよい。
例えば、第二周波数選択表面114は、ある周波数の電磁波を透過させてもよい。
例えば、第二周波数選択表面114は、第一周波数選択表面111が透過させる電磁波と同じ周波数の電磁波を透過させてもよい。
例えば、第二周波数選択表面114は、第一周波数選択表面111と同様な、主に金属パターンの繰り返し構造からなる表面であって、ある周波数の電磁波を透過させる表面構造であってもよい。
例えば、第二周波数選択表面114は、格子パターン1112と同様な、格子パターン1142を含んでいてもよい。
例えば、第一伝送線路11が伝送する電磁波の周波数と、第二周波数選択表面114が透過する電磁波の周波数と、が異なっていてもよい。
【００２２】
図7は、本開示のある態様に係る伝送線路の例の斜視図である。
【００２３】
例えば、立体パターン1111は、グランド導体1122の径方向の両側にそれぞれ設けられてもよい。
例えば、図7によると、立体パターン1111が、グランド導体1122の径方向（例えば、X軸方向）の両側にそれぞれ設けられている。
【００２４】
第一伝送線路11は、第一周波数選択表面111を有することで、ある周波数の電磁波に対して透明化される。つまり、ある周波数の電磁波が第一伝送線路11を透過する。このため、第一伝送線路11は、ある周波数の電磁波に対し及ぼすかもしれない悪影響を抑制することができる。
したがって、以上の、本開示のある態様によれば、例えば、電磁波の通る空間に伝送線路を設けた場合であっても、伝送線路は、電磁波の特性に影響を与えにくい。
本開示のある態様によれば、伝送線路は、第一周波数の電磁波を透過させる第一周波数選択表面を有する。
例えば、第一周波数の電磁波は、伝送線路の延伸方向の電磁波である。
例えば、伝送線路では、第一周波数の電磁波を透過させる第一周波数選択表面が、導線の外周を覆っている。第二周波数の電磁派を透過させる第二周波数選択表面が、導線の内側に位置する芯線に設けられている。第二周波数は、第一周波数と同一の周波数帯の周波数であってもよいし、第一周波数と異なる周波数帯の周波数であってもよい。
【００２５】
図2示す第一伝送線路11では、グランド導体1122の外皮において周波数選択表面を形成し、グランド導体1122の内皮側(芯線1123がある側)を電磁的に覆っている。このため、図2示す第一伝送線路11では、外からの電磁波は、グランド導体1122の内皮側に侵入せずに、伝送線路11を通過する。
図4示す第一伝送線路11では、グランド導体1122自体が透明となり、外からの電磁波が、グランド導体1122の内皮側に侵入する（グランド導体1122の外皮から内皮へ電磁波が貫通する）ことがある。
このため、図4示す第一伝送線路11では、例えば、芯線1123にも第二周波数選択表面114を設ければ、第一伝送線路11全体を透明化することができる。つまり、外からの電磁波が第一伝送線路11を透過する。
【００２６】
図2には、L字形状の2枚の板金の組み合わせた立体パターン1111が示されているが、LC回路を形成できるなら、立体パターン1111は、どのようなパターンの組み合わせであってもよい。
例えば、立体パターン1111は、どのような形状及び配置でもよく、板金を何枚組み合わせてもよい。
例えば、立体パターン1111は、板金の組み合わせに限らず、導体のブロックの組み合わせ、導体の線材の組み合わせ、導体箔の組み合わせ、基板上の導体パターンの組み合わせ等であってもよい。
例えば、立体パターン1111は、板金、導体のブロック、導体の線材、導体箔、及び基板上の導体パターンのうち、少なくともいずれかを含む組み合わせであってもよい。
【００２７】
例えば、本開示のある態様に係るアンテナは、伝送線路と、反射板と、を備えてもよい。
【００２８】
図8は、本開示のある態様に係る伝送線路の例の斜視図である。
【００２９】
例えば、アンテナ1は、第一伝送線路11と、反射板12と、を備えてもよい。
例えば、アンテナ1は、第一アンテナ素子13を備えてもよい。
例えば、アンテナ1は、第一伝送線路11のY軸方向の一端側と他端側とのうち、一端側に第一アンテナ素子13を備え、他端側に反射板12を備えてもよい。
【００３０】
例えば、反射板12は、電磁波を反射してもよい。
例えば、反射板12の板面は、ZX平面に広がっていてもよい。
例えば、反射板12の板面は、導体であってもよい。
例えば、第一伝送線路11が伝送する電磁波は、反射板12を貫通してもよい。
【００３１】
例えば、第一アンテナ素子13は、第一伝送線路11に給電された電磁波を周辺空間へ送信してもよい。
例えば、第一アンテナ素子13は、周辺空間から電磁波を受信してもよい。その際、受信した電磁波は、第一伝送線路11に伝送させてもよい。
例えば、第一アンテナ素子13は、スプリットリングアンテナであってもよい。
【００３２】
反射板12を備えることで、電磁波が有する各方向の偏波のうち、少なくとも反射板12の板面に平行な方向の偏波が抑制される。このため、第一伝送線路11に向かう電磁波は、主に反射板12の板面に交差する方向（例えばY軸方向）を偏波方向Pとする偏波となる。
したがって、以上の、本開示のある態様によれば、例えば、伝送線路は、反射板の板面に交差する方向についてだけ透明化さればよいため、伝送線路は、透明化されやすい。
例えば、図8に示す立体パターン1111によると、偏波方向がPの電磁波は透過しやすい。このため、偏波方向がPである（反射板12の板面に略平行な方向に進む）電磁波が、伝送線路の反対側に透過し易く、伝送線路が透明化されやすい。
【００３３】
例えば、本開示のある態様に係る伝送線路において、第一周波数選択表面が導線の外周を覆っていてもよい。
【００３４】
図9は、本開示のある態様に係る伝送線路の例の斜視図である。
例えば、第一伝送線路11において、第一周波数選択表面111が導線112の外周を覆っていてもよい。
例えば、第一周波数選択表面111は、Y軸方向周り全周について、グランド導体1122の外周を覆っていてもよい。
例えば、第一周波数選択表面111は、Y軸方向周り全周について、グランド導体1122の外周を覆うシートであってもよい。
例えば、Y軸方向に延びる第一周波数選択表面111の中心軸と、Y軸方向に延びるグランド導体1122の中心軸とは、同軸であってもよい。
例えば、Y軸方向に延びる第一周波数選択表面111の中心軸と、Y軸方向に延びるグランド導体1122の中心軸と、Y軸方向に延びる芯線1123の中心軸とは、同軸であってもよい。
例えば、第一周波数選択表面111の内周と、グランド導体1122の外周とは、空間、誘電体等により電気的に絶縁されていてもよい。
例えば、第一周波数選択表面111の内周と、グランド導体1122の外周と、の間の全体又は少なくとも一部には、Y軸方向に延びるように誘電体が充填されていてもよい。
【００３５】
第一周波数選択表面111が導線112の外周を覆うことで、導線112の構造に左右されることなく、第一伝送線路11を透明化することができる。このように、導線112の形状に関わらず、外からの電磁波が第一伝送線路11を透過する。
したがって、以上の、本開示のある態様によれば、例えば、伝送線路は、導線の構造に左右されることなく、ある周波数の電磁波に対し及ぼすかもしれない悪影響を抑制することができる。
【００３６】
図9には、反射板12が示されているが、第一伝送線路11を透明化することができるなら、反射板12は設けられなくてもよい。
図9には、第一アンテナ素子13が示されているが、第一アンテナ素子13は設けられなくてもよい。
図9には、アンテナ1の伝送線路に適用されている第一伝送線路11が示されているが、第一伝送線路11は、アンテナ以外の伝送線路に適用されてもよい。
【００３７】
例えば、本開示のある態様に係る伝送線路において、第一周波数選択表面がグランド導体に設けられていてもよい。
【００３８】
図10は、本開示のある態様に係る伝送線路の例の斜視図である。
【００３９】
例えば、第一伝送線路11において、第一周波数選択表面111がグランド導体1122に設けられていてもよい。
例えば、グランド導体1122は、Y軸方向周り全周について、芯線1123の外周を覆っていてもよい。
例えば、Y軸方向に延びるグランド導体1122の中心軸と、Y軸方向に延びる芯線1123の中心軸とは、同軸であってもよい。
例えば、グランド導体1122の内周と、芯線1123の外周とは、空間、誘電体等により電気的に絶縁されていてもよい。
例えば、グランド導体1122の内周と、芯線1123の外周と、の間の全体又は少なくとも一部には、Y軸方向に延びるように誘電体が充填されていてもよい。
例えば、第一伝送線路11は、グランド導体1122を外部導体とし、芯線1123を内部導体とする同軸ケーブルであってもよい。
【００４０】
例えば、第一伝送線路11が伝送する電磁波が、反射板12を貫通するように、芯線1123は、反射板12を貫通してもよい。
【００４１】
例えば、芯線1123とグランド導体1122とは、それぞれ第一アンテナ素子13に互いに離れた点で接続されてもよい。
例えば、第一アンテナ素子13がスプリットリングアンテナである場合、芯線1123は、スプリット近傍で第一アンテナ素子13に接続され、グランド導体1122は、スプリットから離れた点で第一アンテナ素子13に接続されてもよい。
【００４２】
図11は、本開示のある態様に係る伝送線路の例の斜視図である。
【００４３】
例えば、グランド導体1122は、芯線1123をZ軸方向から挟む一対の対向する平面パターン11221であってもよい。
例えば、各平面パターン11221は、Y軸方向に延びていてもよい。
例えば、各平面パターン11221は、XY平面に広がる板面を有してもよい。
【００４４】
例えば、導線112は、複数のビア11222を備えてもよい。
例えば、一対の平面パターン11221は、複数のビア11222を介して、互いに接続されていてもよい。
例えば、一対の平面パターン11221は、X軸方向の両端部において、複数のビア11222を介して、互いに接続されていてもよい。
例えば、一対の平面パターン11221及び複数のビア11222は、第一周波数選択表面111が透過させる、ある周波数の電磁波に対し、芯線1123を覆っていてもよい。
例えば、Y軸方向に延びる一対の平面パターン11221が挟む空間の中心軸と、Y軸方向に延びる芯線1123の中心軸とは、同軸であってもよい。
例えば、グランド導体1122は、第一アンテナ素子13と電気的に接続するように、リード線11223等を備えてもよい。
【００４５】
第一周波数選択表面111がグランド導体1122に設けられていることで、第一伝送線路11は、ある周波数の電磁波に対して透明化される。つまり、ある周波数の電磁波が第一伝送線路11を透過する。このため、第一伝送線路11は、ある周波数の電磁波に対し及ぼすかもしれない悪影響を抑制することができる。
したがって、以上の、本開示のある態様によれば、例えば、電磁波の通る空間に伝送線路を設けても、伝送線路は、電磁波の特性に影響を与えにくい。
【００４６】
さらに、例えば、第一周波数選択表面111が設けられているグランド導体1122で、ある周波数の電磁波に対し芯線1123を覆えば、グランド導体1122は、ある周波数の電磁波に対し、グランド導体1122自身だけではなく、同時に、グランド導体1122が覆っている芯線1123も透明化することができる。
【００４７】
図10及び図11には、反射板12が示されているが、第一伝送線路11を透明化することができるなら、反射板12は設けられなくてもよい。
図10及び図11には、第一アンテナ素子13が示されているが、第一アンテナ素子13は設けられなくてもよい。
図10及び図11には、アンテナ1の伝送線路に適用されている第一伝送線路11が示されているが、第一伝送線路11は、アンテナ以外の伝送線路に適用されてもよい。
図11には、複数のビア11222が示されているが、芯線1123が第一周波数選択表面111に覆われているなら、複数のビア11222は設けられなくてもよい。
図11には、第一アンテナ素子13と、芯線1123と、一対の平面パターン11221と、が示されているが、第一アンテナ素子13と、芯線1123と、一対の平面パターン11221と、の全体が一枚の基板によって形成されてもよい。
図11には、芯線1123と、芯線1123をZ軸方向から挟む一対の対向する平面パターン11221とが示されているが、芯線1123及び平面パターン11221は、マイクロストリップライン、ストリップライン、立体回路、コプレーナーライン等、いずれの態様であってもよい。
【００４８】
例えば、本開示のある態様に係る伝送線路において、第一周波数選択表面がグランド導体に設けられ、第二周波数選択表面が芯線に設けられていてもよい。
【００４９】
図12は、本開示のある態様に係る伝送線路の例の斜視図である。
【００５０】
例えば、第一伝送線路11において、第一周波数選択表面111がグランド導体1122に設けられ、第二周波数選択表面114が芯線1123に設けられていてもよい。
例えば、第二周波数選択表面114は、ある周波数の電磁波を透過させてもよい。
例えば、第二周波数選択表面114は、第一周波数選択表面111が透過させる電磁波と同じ周波数の電磁波を透過させてもよい。例えば、第二周波数選択表面114は、第一周波数選択表面111が透過させる電磁波と同一の周波数帯の周波数の電磁波を透過させてもよい。
【００５１】
例えば、第二周波数選択表面114は、立体パターン1141を含んでいてもよい。
例えば、第二周波数選択表面114は、芯線1123の表面と立体パターン1141との組み合わせによって、ある周波数の電磁波を透過させてもよい。
例えば、立体パターン1141は、芯線1123の径方向両側にそれぞれ設けられてもよい。つまり、立体パターン1141は、芯線1123のY軸方向と直行する、芯線1123の径の方向の両側にそれぞれ設けられてもよい。
【００５２】
例えば、第二周波数選択表面114は、図4、図5、図6で示したような格子パターンを含んでいてもよい。
例えば、第二周波数選択表面114は、格子パターンによって、ある周波数の電磁波を透過させてもよい。
例えば、芯線1123の表面が、格子パターンであってもよい。
【００５３】
例えば、一対の平面パターン11221（図11）は、第一周波数選択表面111が透過させる、ある周波数の電磁波に対し、芯線1123を覆っていてもよいし、覆っていなくてもよい。
【００５４】
第一伝送線路11は、第一周波数選択表面111及び第二周波数選択表面114を有することで、ある周波数の電磁波に対して透明化される。特に、グランド導体1122は、第一周波数選択表面111により、芯線1123は、第二周波数選択表面114により、それぞれ透明化される。このため、ある周波数を有する電磁波からみて、たとえグランド導体1122に芯線1123が覆われていなくても、第一伝送線路11は、透明化される。つまり、ある周波数の電磁波は第一伝送線路11を透過する。
したがって、以上の、本開示のある態様によれば、例えばグランド導体と芯線との配置、構造等の関係にかかわらず、電磁波の通る空間に伝送線路を設けても、伝送線路は、電磁波の特性に影響を与えにくい。
【００５５】
図12には、反射板12が示されているが、第一伝送線路11を透明化することができるなら、反射板12は設けられなくてもよい。
図12には、第一アンテナ素子13が示されているが、第一アンテナ素子13は設けられなくてもよい。
図12には、アンテナ1の伝送線路に適用されている第一伝送線路11が示されているが、第一伝送線路11は、アンテナ以外の伝送線路に適用されてもよい。
【００５６】
例えば、本開示のある態様に係る伝送線路は、マルチアンテナにおける、第一アンテナ素子への給電線であってもよい。
【００５７】
図13は、本開示のある態様に係る伝送線路の例の斜視図である。
図14は、本開示のある態様に係る伝送線路の例の斜視図である。
図15は、本開示のある態様に係る伝送線路の例の斜視図である。
図16は、本開示のある態様に係る伝送線路の例の斜視図である。
【００５８】
例えば、第一伝送線路11は、マルチアンテナにおける、第一アンテナ素子13への給電線であってもよい。
例えば、アンテナ1は、第一伝送線路11と、第一アンテナ素子13と、第二伝送線路14と、第二アンテナ素子15と、を備えてもよい。
例えば、第一伝送線路11が伝送する電磁波、及び第二伝送線路14が伝送する電磁波は、それぞれ反射板12を貫通してもよい。
例えば、第一伝送線路11に給電される電磁波が第一アンテナ素子13から放射され、第二伝送線路14に給電される電磁波が第二アンテナ素子15から放射されてもよい。
【００５９】
例えば、第一伝送線路11は、第一アンテナ素子13へ電磁波を給電できると共に、マルチアンテナにおける、ある周波数の電磁波に対して透明化されてもよい。つまり、マルチアンテナにおけるある周波数の電磁波が、第一伝送線路11を透過してもよい。
【００６０】
第一伝送線路11は、第一アンテナ素子13へ電磁波を給電できると共に、マルチアンテナにおける、ある周波数の電磁波に対して透明化される。
このため、第一伝送線路11がある周波数の電磁波に対し及ぼすかもしれない悪影響を抑制することができる。
したがって、以上の、本開示のある態様によれば、例えば、伝送線路は、マルチアンテナにおける、ある周波数の電磁波の特性に影響を与えにくい。
【００６１】
図13、図14、図15、及び図16には、反射板12が示されているが、第一伝送線路11を透明化することができるなら、反射板12は設けられなくてもよい。
図13、図14、図15、及び図16に示す第二伝送線路14は、周波数選択表面を有していないが、周波数選択表面を有していてもよい。
図13、図14、図15、及び図16に示す第二伝送線路14は、ある周波数の電磁波を透過させてもよい。
【００６２】
例えば、本開示のある態様では、伝送線路は、マルチアンテナにおける、第一アンテナ素子への給電線であって、マルチアンテナは、第一周波数の電磁波と、第二周波数の電磁波と、に対応し、伝送線路は、第一周波数の電磁波を透過させ、第二周波数の電磁波を第一アンテナ素子へ給電してもよい。
【００６３】
図17は、本開示のある態様に係る伝送線路の例の斜視図である。
図18は、本開示のある態様に係る伝送線路の例の斜視図である。
図19は、本開示のある態様に係る伝送線路の例の斜視図である。
図20は、本開示のある態様に係る伝送線路の例の斜視図である。
【００６４】
例えば、第一伝送線路11は、第一周波数f1の電磁波と、第二周波数f2の電磁波と、に対応しているマルチアンテナにおける、第一アンテナ素子13への給電線であってもよい。
例えば、第一伝送線路11は、第一周波数f1の電磁波を透過させ、第二周波数f2の電磁波を第一アンテナ素子13へ給電してもよい。
例えば、第二周波数f2の電磁波は、第一周波数f1の電磁波と異なる周波数帯の周波数の電磁波である。
【００６５】
例えば、第一アンテナ素子13は、第二周波数f2の電磁波を放射してもよい。
【００６６】
例えば、第二伝送線路14は、第一周波数f1の電磁波を第二アンテナ素子15へ給電してもよい。
【００６７】
例えば、第二アンテナ素子15は、第一周波数f1の電磁波を放射してもよい。
【００６８】
第一伝送線路11は、第一アンテナ素子13へ第二周波数f2の電磁波を給電できると共に、マルチアンテナにおける、第一周波数f1の電磁波に対して透明化される。
このため、第一伝送線路11がマルチアンテナの対応する第一周波数f1の電磁波に対し及ぼすかもしれない悪影響を抑制することができる。
このように、図17〜図20のそれぞれの態様によると、第一伝送線路11は第一アンテナ素子13へ第二周波数f2の電磁波を給電できると共に、マルチアンテナにおける第一周波数f1の電磁波に対して透明化される。
したがって、以上の、本開示のある態様によれば、例えば、伝送線路は、放射される第二周波数の電磁波を給電できると共に、マルチアンテナが対応している第一周波数の電磁波の特性に影響を与えにくい。
【００６９】
図21は、本開示のある態様に係る第二アンテナ素子15の放射パターンの例である。
【００７０】
例えば実線は、図17に示すアンテナ1における第二アンテナ素子15の第一周波数f1の電磁波の放射パターンを示す。すなわち、実線は、第一伝送線路に第一周波数選択表面があるときの第二アンテナ素子の第一周波数の電磁波の放射パターンを示す。
【００７１】
例えば破線は、図17に示すアンテナ1において、第一伝送線路11を設けなかったときの第二アンテナ素子15の第一周波数f1の電磁波の放射パターンを示す。すなわち、破線は、第二アンテナ素子15単独のときの第二アンテナ素子15の第一周波数f1の電磁波の放射パターンを示す。
【００７２】
例えば一点鎖線は、図17に示すアンテナ1において、第一伝送線路11に第一周波数選択表面111を設けなかったときの第二アンテナ素子15の第一周波数f1の電磁波の放射パターンを示す。すなわち、一点鎖線は、第一伝送線路11に周波数選択表面111を設けなかったときの第二アンテナ素子15の第一周波数f1の電磁波の放射パターンを示す。
【００７３】
図21に示す比較結果からわかるように、一点鎖線の放射パターンは、破線の放射パターンに比べて、大きく変化しているのに対し、実線の放射パターンは、破線の放射パターンに比べて、ほとんど変化していない。このように、第一伝送線路は、マルチアンテナの対応する第一周波数の電磁波に対し及ぼすかもしれない悪影響を抑制している。
【００７４】
図17、図18、図19、及び図20には、反射板12が示されているが、第一伝送線路11を透明化することができるなら、反射板12は設けられなくてもよい。
図17、図18、図19、及び図20に示す第二伝送線路14は、周波数選択表面を有していないが、周波数選択表面を有していてもよい。
例えば、図17、図18、図19、及び図20に示す第二伝送線路14は、第二周波数f2の電磁波を透過させてもよい。
この場合、第二伝送線路14は第二アンテナ素子15へ第一周波数f1の電磁波を給電できると共に、マルチアンテナにおける第二周波数f2の電磁波に対して透明化される。
【００７５】
例えば、本開示のある態様では、伝送線路は、マルチアンテナにおける、第一アンテナ素子への給電線であり、マルチアンテナは、第一周波数の電磁波と、第二周波数の電磁波と、に対応する。伝送線路は、第一周波数の電磁波を透過させ、第二周波数の電磁波を第一アンテナ素子へ給電し、第二周波数の電磁波を透過させてもよい。
【００７６】
図22は、本開示のある態様に係る伝送線路の例の斜視図である。
図23は、本開示のある態様に係る伝送線路の例の斜視図である。
図24は、本開示のある態様に係る伝送線路の等価回路の例である。
図25は、本開示のある態様に係る伝送線路の例の斜視図である。
図26は、本開示のある態様に係る伝送線路の例の斜視図である。
【００７７】
例えば、第一伝送線路11は、第一周波数f1の電磁波と、第二周波数f2の電磁波と、に対応しているマルチアンテナにおける、第一アンテナ素子13への給電線であってもよい。
例えば、第一伝送線路11は、第一周波数f1の電磁波を透過させ、第二周波数f2の電磁波を第一アンテナ素子13へ給電し、第二周波数f2の電磁波を透過させてもよい。
例えば、第二周波数f2の電磁波は、第一周波数f1の電磁波と異なる周波数帯の周波数の電磁波である。
【００７８】
例えば、第一アンテナ素子13は、第二周波数f2の電磁波を放射してもよい。
【００７９】
例えば、第二伝送線路14は、第一周波数f1の電磁波を第二アンテナ素子15へ給電してもよい。
【００８０】
例えば、第二アンテナ素子15は、第一周波数f1の電磁波を放射してもよい。
【００８１】
例えば、第一周波数選択表面111は、第一伝送線路11が第一周波数f1の電磁波と、第二周波数f2の電磁波と、を透過させるように構成されてもよい。
【００８２】
例えば、第一周波数選択表面111は、立体パターン1111と、補助パターン1114と、を含んでいてもよい。
例えば、第一周波数選択表面111は、グランド導体1122の表面と、立体パターン1111と、補助パターン1114と、の組み合わせによって、第一周波数f1の電磁波と、第二周波数f2の電磁波と、を透過させてもよい。
【００８３】
例えば、図22に示すように、第一伝送線路11の径方向両側のうち、一方の片側に立体パターン1111、他方の片側にL字形状の板金の補助パターン1114がそれぞれ設けられてもよい。
例えば、第一伝送線路11の径方向両端のうち、一端に立体パターン1111、他端に補助パターン1114がそれぞれ設けられてもよい。
【００８４】
例えば、図23に示すように、第一伝送線路11の表面に立体パターン1111が設けられ、第一伝送線路11の表面と立体パターン1111との間に形成される空間に補助パターン1114が設けられてもよい。
例えば、図24に示すLC回路を構成するように、第一伝送線路11の表面に立体パターン1111が設けられ、第一伝送線路11の表面と立体パターン1111との間に形成される空間に補助パターン1114が設けられてもよい。
例えば、立体パターン1111のL字形状の板金の板面がXY平面に沿うように、立体パターン1111の各板金が設けられてもよい。
例えば、補助パターン1114の各板金の板面がXY平面に沿うように、補助パターン1114の各板金が設けられてもよい。
例えば、補助パターン1114は、L字形状の板金及びI形状の板金の組み合わせであってもよい。
【００８５】
第一伝送線路11は、第一アンテナ素子13へ第二周波数f2の電磁波を給電できると共に、マルチアンテナにおける、第一周波数f1の電磁波と、マルチアンテナにおける、第二周波数f2の電磁波と、に対して透明化される。
このため、第一伝送線路11がマルチアンテナの対応する第一周波数f1及び第二周波数f2の電磁波に対し及ぼすかもしれない悪影響を抑制することができる。
【００８６】
伝送線路を第一周波数f1の電磁波に対して透明化しようとするために、周波数選択表面を設けると、伝送線路自身の伝送を介して放射された第二周波数f2の電磁波に対して周波数選択表面が逆に悪影響を及ぼすことがある。
これに対し、本開示のある態様に係る第一伝送線路11は、第一周波数f1及び第二周波数f2の電磁波に対して透明化される。このため、第一伝送線路11自身の伝送を介して放射された第二周波数f2の電磁波に対して及ぼすかもしれない悪影響を抑制することができる。
したがって、以上の、本開示のある態様によれば、例えば、電磁波の通る空間に伝送線路を設けても、伝送線路は、第一周波数及び第二周波数の電磁波の特性に影響を与えにくい。
【００８７】
図22、図25、及び図26には、反射板12が示されているが、第一伝送線路11を透明化することができるなら、反射板12は設けられなくてもよい。
図22、図25、及び図26に示す第二伝送線路14は、周波数選択表面を有していないが、周波数選択表面を有していてもよい。
図22、図25、及び図26に示す第二伝送線路14は、周波数選択表面を有していないが、周波数選択表面を有するように構成して第二周波数f2の電磁波を透過させてもよい。
図22、図25、及び図26に示す第二伝送線路14は、周波数選択表面を有していないが、周波数選択表面を有するように構成して第一周波数f1及び第二周波数f2の電磁波を透過させてもよい。
図22、図23、図25、及び図26に示す立体パターン1111は、グランド導体1122の径方向の片側に設けられているが、グランド導体1122の径方向の両側にそれぞれ設けられてもよい。
図22、図23、図25、及び図26に示す補助パターン1114は、グランド導体1122の径方向の片側に設けられているが、グランド導体1122の径方向の両側にそれぞれ設けられてもよい。
図22、図23、図25、及び図26には、立体パターン1111及び補助パターン1114を含む第一周波数選択表面111が示されているが、第一周波数f1及び第二周波数f2の電磁波に対して第一伝送線路11を透明化することができるなら、どのような構成であってもよい。
例えば、第一周波数選択表面111は、第一周波数f1及び第二周波数f2の電磁波が透過されるように、繰り返し構造からなる格子パターンを含んでいてもよい。
【００８８】
この出願は、２０１８年６月２９日に日本出願された特願２０１８−１２４４８０号を基礎とする優先権を主張し、その開示の全てをここに取り込む。
【産業上の利用可能性】
【００８９】
本開示におけるある態様によれば、例えば、電磁波の通る空間に伝送線路を設けても、電磁波の特性に影響を与えにくい。
【符号の説明】
【００９０】
1    アンテナ
11    第一伝送線路（伝送線路）
111    第一周波数選択表面
1111    立体パターン
1112    格子パターン
1114    補助パターン
112    導線
1122    グランド導体
11221  平面パターン
11222  ビア
11223  リード線
1123    芯線
114    第二周波数選択表面
1141    立体パターン
1142    格子パターン
12    反射板
13    第一アンテナ素子
14    第二伝送線路
15    第二アンテナ素子
C    キャパシタンス成分
L    インダクタンス成分
P    偏波方向
【図１】
2020004409.tif 000003
【図２】
2020004409.tif 000004
【図３】
2020004409.tif 000005
【図４】
2020004409.tif 000006
【図５】
2020004409.tif 000007
【図６】
2020004409.tif 000008
【図７】
2020004409.tif 000009
【図８】
2020004409.tif 000010
【図９】
2020004409.tif 000011
【図１０】
2020004409.tif 000012
【図１１】
2020004409.tif 000013
【図１２】
2020004409.tif 000014
【図１３】
2020004409.tif 000015
【図１４】
2020004409.tif 000016
【図１５】
2020004409.tif 000017
【図１６】
2020004409.tif 000018
【図１７】
2020004409.tif 000019
【図１８】
2020004409.tif 000020
【図１９】
2020004409.tif 000021
【図２０】
2020004409.tif 000022
【図２１】
2020004409.tif 000023
【図２２】
2020004409.tif 000024
【図２３】
2020004409.tif 000025
【図２４】
2020004409.tif 000026
【図２５】
2020004409.tif 000027
【図２６】
2020004409.tif 000028
【国際調査報告】
2020004409.tif 000029
2020004409.tif 000030
2020004409.tif 000031
2020004409.tif 000032